(57)【特許請求の範囲】
【請求項１】
水晶体嚢内部に該水晶体嚢と同軸に設置される前嚢側リング及び後嚢側リングと、該前嚢側リングと該後嚢側リングとの間に設けられたばね部材とからなり、前記前嚢側リングには、眼内レンズの支持部を支持する支持溝が形成されていることを特徴とする調節リング。
【請求項２】
前記前嚢側リングの後嚢側及び、前記後嚢側リングの前嚢側には、前記ばね部材を固定することができる嵌込溝が形成されていることを特徴とする請求項１に記載の調節リング。
【請求項３】
前記ばね部材は、略８の字状の弾性部材であることを特徴とする請求項１又は２に記載の調節リング。
【請求項４】
前記ばね部材は、凸部を一つ又は複数有し、前記前嚢側リング及び前記後嚢側リングの嵌込溝には、前記凸部と嵌合する凹部が形成されていることを特徴とする請求項１〜３のいずれかに記載の調節リング。
【請求項５】
前記前嚢側リングと前記ばね部材と前記後嚢側リングとが一体に形成されていることを特徴とする請求項１に記載の調節リング。
【請求項６】
前記前嚢側リングと前記後嚢側リングの間には、前記前嚢側リング及び前記後嚢側リングを前記水晶体嚢と同軸に直線運動を確保するガイドが設けられていることを特徴とする請求項１〜５のいずれかに記載の調節リング。
【請求項７】
前記前嚢側リングと前記後嚢側リングには、前記前嚢側リングと前記後嚢側リングを同軸に保持する補助具が設けられていることを特徴とする請求項１〜６のいずれかに記載の調節リング。
【請求項８】
水晶体嚢内部に該水晶体嚢と同軸に設置される眼内レンズと、該眼内レンズを該水晶体嚢内部で該水晶体嚢と同軸に支持する調節リングとを備えた人工水晶体キットであって、前記眼内レンズは、光学部と該光学部の周縁に設けられた複数の支持部とからなり、前記調節リングは、前嚢側リング及び後嚢側リングと、該前嚢側リングと該後嚢側リングとの間に設けられたばね部材とからなり、前記前嚢側リングには、前記眼内レンズの支持部を支持する支持溝が設けられ、前記人工水晶体キットを水晶体内部に設置したとき、前記眼内レンズの前記支持部の先端部は、前記水晶体嚢の赤道部近傍に当接され、前記調節リングの前記前嚢側リングは前記ばね部材によって前嚢方向に付勢され、前記前嚢側リングの前嚢側縁部は前嚢と接し、前記後嚢側リングは前記ばね部材によって後嚢方向に付勢され、前記後嚢側リングの後嚢側縁部は後嚢と接することを特徴とする人工水晶体キット。
【請求項９】
前記調節リングの前記支持溝は、前記眼内レンズの前記支持部の基部近傍を支持していることを特徴とする請求項８に記載の人工水晶体キット。
【請求項１０】
前記眼内レンズの前記支持部には、前記支持部の基部近傍に溝が形成されていることを特徴とする請求項８又は９に記載の人工水晶体キット。
【請求項１１】
前記前嚢側リングの後嚢側及び前記後嚢側リングの前嚢側には、前記ばね部材を固定することができる嵌込溝が形成されていることを特徴とする請求項８〜１０のいずれかに記載の人工水晶体キット。
【請求項１２】
前記ばね部材は、略８の字状の弾性部材であることを特徴とする請求項８〜１１のいずれかに記載の人工水晶体キット。
【請求項１３】
前記ばね部材は、凸部を一つ又は複数有し、前記前嚢側リング及び前記後嚢側リングの嵌込溝には、前記凸部と嵌合する凹部が形成されていることを特徴とする請求項８〜１２のいずれかに記載の人工水晶体キット。
【請求項１４】
前記前嚢側リングと前記ばね部材と前記後嚢側リングとが一体に形成されていることを特徴とする請求項８〜１０のいずれかに記載の人工水晶体キット。
【請求項１５】
前記前嚢側リングと前記後嚢側リングの間には、前記前嚢側リング及び前記後嚢側リングを前記水晶体嚢と同軸に直線運動を確保するガイドが設けられていることを特徴とする請求項８〜１４のいずれかに記載の人工水晶体キット。
【請求項１６】
前記前嚢側リングと前記後嚢側リングには、前記前嚢側リングと前記後嚢側リングを同軸に保持する補助具が設けられていることを特徴とする請求項８〜１５のいずれかに記載の人工水晶体キット。
【請求項１７】
前記眼内レンズの支持部の一部又は全部に、ファイブロネクチン又はファイブロネクチン様物質を付着させたことを特徴とする請求項８〜１６のいずれかに記載の人工水晶体キット。
【発明の詳細な説明】
【０００１】
【発明の属する技術分野】
本発明は、水晶体嚢外摘出手術後に水晶体嚢内に設置する眼内レンズに関するもので、眼の調節力を有する人工水晶体キットに関する。
【０００２】
【従来の技術】
人が遠距離にあるものを注視している状態から近距離にあるものを注視しても鮮明に見ることができるのは、眼の調節作用によって焦点が遠距離から近距離へと移動しているからである。眼の調節作用は、次の動作が行われていると考えられている。
【０００３】
遠距離にあるものを注視しているときは、レンズの役割をしている水晶体が扁平化した状態に保たれている。遠距離から近距離にあるものを注視しようとすると、水晶体を取り巻くように存在する毛様体輪状筋が収縮する。毛様体と水晶体は、細い繊維状のチン小帯によって連結されており、毛様体輪状筋が収縮すると、チン小帯が弛緩する。チン小帯が弛緩すると、水晶体自身の弾性によって水晶体が球状化して厚みが増し、屈折度が増加する。その結果、眼の焦点が近距離に合い、鮮明にものを見ることができる。
【０００４】
これに対し、近距離のものを注視している状態から遠距離のものを注視すると、上記と逆の現象が起こり、毛様体輪状筋が弛緩してチン小帯が収縮し、球状化していた水晶体が扁平化する。その結果、眼の焦点が遠距離に合う。
【０００５】
ところで、通常透明なはずの水晶体が何等かの原因で濁り、光が眼底に入る前に散乱され、網膜に像を結ぶ働きが弱くなり、かすんで見えるようになる現象が起こる場合がある。この状態を白内障という。白内障は、老人性、先天性、糖尿病性、外傷性、赤外線による職業病性などがあり、近年患者数が増加している。
【０００６】
この白内障などの水晶体疾患の治療方法としては、水晶体内容を摘出した後、水晶体嚢内に眼内レンズを設置する手術が用いられている。
【０００７】
ここで、水晶体は、両凸レンズの形状をしており、水晶体嚢と呼ばれる弾性を有した透明の薄いカプセルに包まれている。水晶体嚢の角膜側を前嚢、水晶体嚢の硝子体側を後嚢と称し、前嚢と後嚢の境目の外周部分を赤道部という。チン小帯は、水晶体嚢の周辺部に付着し、水晶体と毛様体を連結している。
【０００８】
水晶体嚢内に眼内レンズを設置する手術は、水晶体嚢の前嚢部の中央を円形に切除し、水晶体内容を摘出した後、袋状に残った水晶体嚢内に眼内レンズを挿入する方法が一般的である。
【０００９】
【発明が解決しようとする課題】
しかし、従来の眼内レンズは、眼内レンズの厚みを増減させることや、前後に移動させることはできないため調節力を有していない。従って、固定焦点となり、特定距離のものだけ鮮明に見えるが、その他の距離のものは鮮明には見えないという問題点がある。
【００１０】
更に、固定焦点は日常生活において眼鏡が必需品となるため、手術前では経験しなかった不便なことが多く起きうるという問題がある。
【００１１】
【課題を解決するための手段】
上記課題を解決するために、本発明に係る調節リングは、水晶体嚢内部に水晶体嚢と同軸に設置される前嚢側リング及び後嚢側リングと、前嚢側リングと後嚢側リングとの間に設けられたばね部材とからなり、前嚢側リングには、眼内レンズの支持部を支持する支持溝が形成されていることを特徴とする。
【００１２】
また、前嚢側リングの後嚢側及び、後嚢側リングの前嚢側には、ばね部材を固定することができる嵌込溝が形成されていることを特徴とする。
【００１３】
また、ばね部材は、略８の字状の弾性部材であることを特徴とする。
【００１４】
また、ばね部材は、凸部を一つ又は複数有し、前嚢側リング及び前記後嚢側リングの嵌込溝には、前記凸部と嵌合する凹部が形成されていることを特徴とする。
【００１５】
また、前嚢側リングとばね部材と後嚢側リングとが一体に形成されていることを特徴とする。
【００１６】
また、前嚢側リングと後嚢側リングの間には、前嚢側リング及び後嚢側リングを水晶体嚢と同軸に直線運動を確保するガイドが設けられていることを特徴とする。
【００１７】
また、前嚢側リングと後嚢側リングには、前嚢側リングと後嚢側リングを同軸に保持する補助具が設けられていることを特徴とする。
【００１８】
本発明に係る人工水晶体キットは、水晶体嚢内部に水晶体嚢と同軸に設置される眼内レンズと、眼内レンズを水晶体嚢内部で該水晶体嚢と同軸に支持する調節リングとを備えた人工水晶体キットであって、眼内レンズは光学部と光学部の周縁に設けられた複数の支持部とからなり、前記調節リングは、前嚢側リング及び後嚢側リングと、前嚢側リングと後嚢側リングとの間に設けられたばね部材とからなり、前記前嚢側リングには眼内レンズの支持部を支持する支持溝が設けられ、人工水晶体キットを水晶体内部に設置したとき、眼内レンズの支持部の先端部は水晶体嚢の赤道部近傍に当接され、調節リングの前嚢側リングはばね部材によって前嚢方向に付勢され、前嚢側リングの前嚢側縁部は前嚢と接し、後嚢側リングはばね部材によって後嚢方向に付勢され、後嚢側リングの後嚢側縁部は後嚢と接することを特徴とする。
【００１９】
また、調節リングの支持溝は、眼内レンズの支持部の基部近傍を支持していることを特徴とする。
【００２０】
また、眼内レンズの支持部には、支持部の基部近傍に溝が形成されていることを特徴とする。
【００２１】
また、前嚢側リングの後嚢側及び後嚢側リングの前嚢側には、ばね部材を固定することができる嵌込溝が形成されていることを特徴とする。
【００２２】
また、ばね部材は、略８の字状の弾性部材であることを特徴とする。
【００２３】
また、ばね部材は、凸部を一つ又は複数有し、前嚢側リング及び前記後嚢側リングの嵌込溝には、前記凸部と嵌合する凹部が形成されていることを特徴とする。
【００２４】
また、前嚢側リングとばね部材と後嚢側リングとが一体に形成されていることを特徴とする。
【００２５】
また、前嚢側リングと後嚢側リングの間には、前嚢側リング及び後嚢側リングを水晶体嚢と同軸に直線運動を確保するガイドが設けられていることを特徴とする。
【００２６】
また、前嚢側リングと後嚢側リングには、前嚢側リングと後嚢側リングを同軸に保持する補助具が設けられていることを特徴とする。
【００２７】
また、眼内レンズの支持部の一部又は全部に、ファイブロネクチン又はファイブロネクチン様物質を付着させたことを特徴とする。
【００２８】
【発明の実施の形態】
本発明に係る人工水晶体キット２について、図を参照にしながら説明する。図１〜３は、本発明に係る人工水晶体キット２の一実施の形態を示した説明図である。これらの図は説明の便宜上だけのものであって、本発明を限定するものではない。
【００２９】
本発明に係る人工水晶体キット２は、水晶体嚢３４内部に水晶体嚢３４と同軸に設置される眼内レンズ２４と、眼内レンズ２４を水晶体嚢３４内部で水晶体嚢３４と同軸に支持する調節リング４とからなる。
【００３０】
図４〜７は、本発明に係る調節リング４の一実施の形態を示した斜視図である。本発明に係る調節リング４は、水晶体嚢３４内部に水晶体嚢３４と同軸に設置される前嚢側リング６及び後嚢側リング８と、前嚢側リング６と後嚢側リング８との間に設けられたばね部材１６とからなる。
【００３１】
前嚢側リング６及び後嚢側リング８は略円形が好ましいが、必ずしも真円である必要はない。また、前嚢側リング６及び後嚢側リング８の大きさは、外周の径が７．０ｍｍ〜８．０ｍｍ、内周の直径が６．０ｍｍ〜７．０ｍｍ、高さが１．５ｍｍ〜２．５ｍｍのリングが好ましいが、この数値は一般的な大きさの水晶体嚢に使用する前嚢側リング６及び後嚢側リング８の目安となる数値であり、本発明の目的を逸脱しない限りはこの範囲外であっても良い。
【００３２】
また、前嚢側リング６の前嚢側縁部は平坦に形成されていても良いが、外周から内周にかけて隆起しているように形成されるのが好ましい。また、後嚢側リング８の後嚢側縁部も平坦に形成されていても良いが、外周から内周にかけて隆起しているように形成されてるのが好ましい。
【００３３】
前嚢側リング６及び後嚢側リング８は、アクリルやシリコンなどの軟弾性素材で形成されているのが好ましい。近年の眼内レンズ２４挿入手術は、眼内レンズ２４を折り畳むか丸め込んで水晶体嚢３４に挿入する方法が主流となっている。よって、調節リング４も眼内レンズ２４の挿入方法と同様に折り畳むか丸め込んで挿入することが求められるため、軟弾性素材で形成されるのが好ましい。軟弾性素材を使用しない場合は、調節リング４を折り畳み可能又は丸め込み可能な構造又は形状にしても良い。
【００３４】
ここで、本発明に係る前嚢側リング６は、眼内レンズ２４の支持部２８を支持する支持溝１０が形成されている。この支持溝１０は、前嚢側リング６の前嚢側から後嚢側に向かって凹む様に形成されているのが好ましい。支持溝１０は、眼内レンズ２４の支持部２８に対応した位置に形成されていれば良いが、図示されているように４つの支持溝１０が等間隔に形成されていると更に良い。これにより、水晶体嚢３４内部で眼内レンズ２４と調節リング４を組み合わせる時、調節リング４を回転させる距離が短くなり、容易に人工水晶体キット２を設置することができるため、作業効率が良くなる。支持溝１０の大きさ及び形状は、眼内レンズ２４の支持部２８に応じて適宜設定すれば良い。
【００３５】
次に、図１５は、本発明に係るばね部材１６の一実施の形態を示した説明図である。本発明に係るばね部材１６は、前嚢側リング６と後嚢側リング８の間に設けられている。
【００３６】
本発明に係るばね部材１６は、調節リング４を水晶体内部に設置したとき、前嚢側リング６を前嚢方向に付勢して前嚢側リング６の前嚢側縁部を前嚢３６と接させ、後嚢側リング８を後嚢方向に付勢し、後嚢側リング８の後嚢側縁部を後嚢３８と接させる。よって、適度な反発力を有しているのが好ましく、水晶体嚢の弾性力などの種々の条件を考慮してばね部材１６の反発力を適宜設定すれば良い。
【００３７】
本発明に係るばね部材１６は、図１５に示された略８の字状又はＯ字状の形状が好ましいが、スプリング２０なども使用することができる。ばね部材１６の材料としては、形状が略８の字状又はＯ字状である場合は、ポリプロピレンの様な軟弾性素材が好ましいが、スプリング２０の場合は、種々の金属なども使用可能である。スプリング２０を使用した場合は、調節リング４を図８に示された様な構造にすれば良い。
【００３８】
ばね部材１６の設置方法は、図４に示された様に、前嚢側リング６の後嚢側及び後嚢側リング８の前嚢側に、嵌込溝１２を形成してばね部材１６を固定する方法が好ましい。この方法以外にも、ばね部材１６に連結部材や嵌合部材、係合部材などを設けて前嚢側リング６及び後嚢側リング８の間に設置することも可能である。
【００３９】
嵌込溝１２の形状及び大きさは、ばね部材１６に応じて適宜設定すれば良いが、略８の字状やＯ字状のばね部材１６の場合、嵌込溝１２の端部に収納溝を形成されていると更に良い。略８の字状やＯ字状のばね部材１６は、圧力が加わると変形する。そこで、収納溝を形成することにより、変形したばね部材１６を収納溝内に納めることができ、調節リング４を水晶体嚢３４と同軸に直線運動することを確保することができる。
【００４０】
また、ばね部材１６に凸部１８を一つ又は複数形成し、前嚢側リング６の嵌込溝１２及び前記後嚢側リング８の嵌込溝１２に凸部１８と嵌合する凹部１４を形成しても良い。この凸部１８及び凹部１４を設けることで、ばね部材１６が前嚢側リング６及び後嚢側リング８に更に固定されるため、ばね部材１６の位置ずれ及び前嚢側リング６及び後嚢側リング８との分離も防止するができる。この凸部１８及び凹部１４の他にも、ばね部材１６の位置ずれ及び前嚢側リング６及び後嚢側リング８との分離が防止できれば、係合部や連結部などどのような手段を用いても良い。凸部１８及び凹部１４の設置個所や、形状、大きさといった条件は適宜設定すれば良い。
【００４１】
また、本発明に係る調節リング４は、前嚢側リング６とばね部材１６と後嚢側リング８が一体に形成されていても良い。図１０は、前嚢側リング６とばね部材１６と後嚢側リング８が一体に形成された調節リング４の一実施の形態を示した説明図である。この時、ばね部材１６の形状としては、図１０に示されたようにＯ字状の形状が好ましいが、適宜設定すれば良い。
【００４２】
また、図８は、ガイド２２を設けた調節リング４の一実施の形態を示した説明図である。本発明に係るガイド２２は、前嚢側リング６と後嚢側リング８の間に設けられ、前嚢側リング６及び後嚢側リング８を水晶体嚢３４と同軸に直線運動を確保することができる。このガイド２２は、前嚢側リング６及び後嚢側リング８を水晶体嚢３４と同軸に直線運動を確保できるのであれば、どの様な構造、形状、手段を用いても良い。
【００４３】
図１６は、本発明に係るガイド２２の一実施の形態を示した説明図である。このガイド２２は、雄型部材２２ａと雌型部材２２ｂとからなり、雄型部材２２ａを雌型部材２２ｂに挿入して使用する。この雌型部材２２ｂの内部にスプリング２０を設け、ばね部材１６として使用することも可能である。
【００４４】
また、本発明に係る調節リング４は、前嚢側リング６及び後嚢側リング８を同軸に保持する補助具４６が設けられていても良い。図１７は、補助具４６が設けられた調節リング４の一実施の形態を示した説明図である。
【００４５】
図１７では、補助具４６としてプラスチックシート４８が前嚢側リング６及び後嚢側リング８に貼着されている。このプラスチックシート４８は、透明な軟性プラスチックをシート状に薄く形成したもので、孔が設けられている。このプラスチックシート４８は、ばね部材１６が設けられている外周部分と内周部分に貼着されている。この補助具４６としては、プラスチックシート４８に限定せず、前嚢側リング６及び後嚢側リング８を同軸に保持することができれば、どのような手段を用いても良い。
【００４６】
次に、本発明に係る眼内レンズ２４について図を参照にしながら説明する。図１２〜１４は本発明に係る眼内レンズの一実施の形態を示した説明図である。本発明に係る眼内レンズ２４は、光学部２６と、光学部２６の周縁部に設けられた支持部２８とからなる。
【００４７】
眼内レンズ２４は、光学部２６及び支持部２８ともに、アクリルやシリコンなどの軟弾性素材で形成されているのが好ましいが、特に限定せず、種々の条件を考慮して適宜設定すれば良い。また、光学部２６及び支持部２８は、必ずしも同一の材料で形成される必要はない。
【００４８】
眼内レンズ２４の形状は特に限定せず、一般的に使用されているものも使用することができる。また、光学部２６の形状も特に限定せず、屈折率などを考慮して光学部２６の厚みなどを適宜設定すれば良い。
【００４９】
支持部２８の先端部は、図示された様に略三角形状に幅広に形成され、湾曲しているのが良い。また、先端部付近に空洞が形成されていると更に良い。この形状にすることにより、支持部２８の先端部が水晶体嚢３４の形状に応じて変形でき、様々な大きさ及び形状の水晶体嚢３４にも使用することができる。また、支持部２８の先端部と水晶体嚢３４の赤道部４０の接触面積を大きくすることができるため、水晶体嚢３４の変形を感知しやすくなる。
【００５０】
また、支持部２８の基部近傍には溝３０が形成されている。この溝３０は、屈曲を誘発することができる。従って、支持部２８の先端部同士の距離が短くなると、溝３０によって屈曲が誘発され、光学部２６が移動する。この溝３０は、図１０に示された様な略三角形の形状だけに限らず、ヒンジなどでも良く、屈曲を誘発しやすい手段を用いるのが好ましい。
【００５１】
また、支持部２８は、支持部２８内部に芯材３２が設けられているのが好ましい。この芯材３２を設けることにより、支持部２８の屈曲を防止することができ、基部近傍に設けられた溝３０が屈曲を誘発しやすくなる。芯材３２としては、硬質プラスチック、金属などを使用することができ、容易に屈曲しない材料が好ましい。
【００５２】
また、支持部２８の一部又は全部にファイブロネクチン又はファイブロネクチン様物質を付着させても良い。特に、支持部２８の先端部に付着させるのが好ましい。ファイブロネクチン様物質とは、ファイブロネクチンを含んだ物質、ファイブロネクチン関連の物質、ファイブロネクチンと同様の効果を得ることができる物質を指す。ファイブロネクチン又はファイブロネクチン様物質を付着させることにより、水晶体嚢３４との生物学的結合を誘導することができる。よって、支持部２８の先端部にファイブロネクチン又はファイブロネクチン様物質を付着させれば、支持部２８の先端部の位置を固定することができる。
【００５３】
また、本発明に係る前嚢側リング６及び後嚢側リング８には、必要に応じて、眼房水が循環できるための、溝又は孔が形成されていても良い。
【００５４】
ここで、後発白内障について説明する。白内障手術などの水晶体摘出手術後、水晶体嚢３４に沿った混濁が高頻度で発生し、混濁が瞳孔領（水晶体嚢３４の中心付近）にまで及んだ場合、視力の低下をきたす。この症状を後発白内障と呼ぶ。この後発白内障による視力の低下は、医学的に重要な問題であり、確実な予防法がないのが現状である。
【００５５】
後発白内障は主に線維性混濁とエルシュニッヒ真珠の二つに分類される。
【００５６】
このうち線維性混濁はコラーゲンなどの細胞外基質による白色の混濁である。すなわち、手術後、一部の水晶体上皮細胞は筋線維芽細胞様細胞に形質転換し、この筋線維芽細胞様細胞がコラーゲンをはじめとする細胞外基質を大量に産生するために水晶体嚢３４に線維性混濁が発生する。
【００５７】
水晶体上皮細胞は、手術前の正常状態では前嚢のみに存在する。白内障手術では水晶体前嚢の中心を円形に切除する（前嚢切開）。この前嚢切断端は、水晶体上皮細胞が筋線維芽細胞様細胞に形質転換する主たる場である。この形質転換に基づいて産生された細胞外基質を介して前嚢切断端は後嚢に癒着する。前後嚢癒着部は細胞外基質による線維性混濁を呈するが、線維性混濁が過剰に形成され、瞳孔領まで達すると視力の低下をきたす。
【００５８】
また、前嚢切断端が全周にわたって後嚢に癒着することにより、それより周辺部では前後嚢に囲まれた閉鎖空間が形成され、その中に水晶体が徐々に再生される。この水晶体は主に再生した水晶体線維細胞より成る。この閉鎖空間が水晶体線維細胞で充満すると、水晶体線維細胞は前嚢切断端の癒着部を通過し、後嚢上の解放空間（眼房）に達し、ここで眼房水に接触し、その影響を受けてエルシュニッヒ真珠と呼ばれるものに膨化変性し、これが眼内への入射光を散乱させて視力の低下をきたす。
【００５９】
従って、本発明に係る調節リング４は、前嚢切開窓４４の前嚢切断端を後嚢から離れた位置に保持することができ、前嚢の後嚢への癒着が防止され、線維性混濁が前嚢切断端付近に限局され、後嚢中央にまで進展しないので、後発白内障のうち線維性混濁を原因とする視機能低下を予防することができる。
【００６０】
また、前嚢側リング６及び後嚢側リング８に眼房水が循環できるための溝又は孔を形成すれば、前嚢切断端における前後嚢の癒着が防止され、水晶体嚢３４内に閉鎖空間が形成されず、溝又は孔を通して眼房水が循環するので、水晶体線維細胞が再生されず、後発白内障のうちエルシュニッヒ真珠による視機能低下の発生を予防することもできる。
【００６１】
次に、本発明に係る人工水晶体キット２の水晶体嚢３４内部に設置したときの作用を図を参照にしながら説明する。図１８及び図１９は、本発明に係る人工水晶体キット２を使用した状態を示す説明図であり、図１８は、チン小帯が収縮した状態、図１９は、チン小帯が弛緩した状態を示した図である。
【００６２】
まず、水晶体嚢３４の前嚢３６に前嚢切開窓４４を形成し、水晶体嚢３４内容を取り除いた後、調節リング４を水晶体嚢３４内部に挿入する。次に、眼内レンズ２４を水晶体嚢３４内部に挿入し、眼内レンズ２４を回転させて、眼内レンズ２４の支持部２８と調節リング４の支持溝１０を嵌合させる。
【００６３】
人工水晶体キット２は、ばね部材１６によって前嚢側リング６が前嚢方向に付勢されて前嚢側リング６の前嚢側縁部は前嚢３６と接し、後嚢側リング８が後嚢方向に付勢されて後嚢側リング８の後嚢側縁部は後嚢３８と接する。眼内レンズ２４の支持部２８の先端部は、水晶体嚢３４の赤道部４０近傍に当接される。
【００６４】
この状態で、チン小帯４２が収縮すると、水晶体嚢３４が赤道部４０で牽引され、赤道部４０近傍に当接されている眼内レンズ２４の支持部２８も牽引される。同時に前嚢３６が後嚢側に、後嚢３８が前嚢側に移動して前嚢３６と後嚢３８の距離が収縮し、前嚢側リング６と後嚢側リング８の距離が縮まる。前嚢側リング６に支持されていた光学部２６も移動して、前嚢側から支持部２８と水平の位置に近づく。
【００６５】
また、チン小帯４２が弛緩すると、赤道部４０で牽引されていた水晶体嚢３４が元の形状に戻ろうとして、水晶体嚢３４の赤道部４０の直径が減少する。これにより、赤道部４０近傍に当接されていた支持部２８は、中心側に向かって圧力がかかり、支持部２８の基部近傍に設けられた溝３０が屈曲を誘発し、光学部２６が前嚢側に押し出される。同時に、ばね部材１６が反発して前嚢側リング６を前嚢側に付勢し、後嚢側リング８を後嚢側に付勢する。従って、眼内レンズ２４が赤道部４０と水平の位置から前嚢側へと移動する。
【００６６】
以上のように、本発明に係る人工水晶体キット２は、チン小帯４２の弛緩及び収縮に伴う水晶体嚢３４の形状の変化に対応して眼内レンズ２４の位置を移動させることができるため、屈折度を変化させることができ、眼の調節が可能となる。
【００６７】
【発明の効果】
本発明に係る人工水晶体キットは、調節リングと眼内レンズとを備え、調節リングは、前嚢側リングと後嚢側リングと両リングの間に設けられたばね部材とからなり、眼内レンズは光学部と支持部とからなるため、水晶体嚢の形状の変化に伴って光学部の位置を変化して屈折度を変化させることができ、水晶体嚢外摘出手術後であっても、眼の調節力が可能となる。
【００６８】
更に、チン小帯の弛緩・収縮に伴って変化する水晶体嚢に対応して、眼内レンズの位置を移動して眼の調節ができるため、自然な眼の調節が可能となる。
【００６９】
更に、調節リングは前嚢側リング及び後嚢側リングを水晶体嚢と同軸に直線運動を確保するガイドが設けられているため、常に眼内レンズを水晶体嚢と同軸に直線運動を確保することができ、良好に眼の調節ができると共に、焦点がずれない。
【図面の簡単な説明】
【図１】本発明に係る人工水晶体キットの一実施の形態を示した斜視図である。
【図２】本発明に係る人工水晶体キットの一実施の形態を示した正面図である。
【図３】本発明に係る人工水晶体キットの一実施の形態を示した平面図である。
【図４】本発明に係る調節リングの一実施の形態を示した斜視図である。
【図５】本発明に係る調節リングの一実施の形態を示した正面図である。
【図６】本発明に係る調節リングの一実施の形態を示した平面図である。
【図７】本発明に係る前嚢側リングの一実施の形態の裏面を示した斜視図である。
【図８】本発明に係る調節リングの一実施の形態を示した斜視図である。
【図９】本発明に係る調節リングの一実施の形態を示した斜視図である。
【図１０】本発明に係る調節リングの一実施の形態を示した斜視図である。
【図１１】本発明に係る調節リングの一実施の形態を示した正面図である。
【図１２】本発明に係る眼内レンズの一実施の形態を示した斜視図である。
【図１３】本発明に係る眼内レンズの一実施の形態を示した正面図である。
【図１４】本発明に係る眼内レンズの一実施の形態を示した平面図である。
【図１５】本発明に係るばね部材の一実施の形態を示した斜視図である。
【図１６】本発明に係るガイドの一実施の形態を示した斜視図である。
【図１７】本発明に係る調節リングの一実施の形態を示した斜視図である。
【図１８】本発明に係る人工水晶体キットの使用状態を示した説明図である。
【図１９】本発明に係る人工水晶体キットの使用状態を示した説明図である。
【符号の説明】
２        人工水晶体キット
４        調節リング
６        前嚢側リング
８        後嚢側リング
１０      支持溝
１２      嵌込溝
１４      凹部
１６      ばね部材
１８      凸部
２０      スプリング
２２      ガイド
２２ａ    雄型部材
２２ｂ    雌型部材
２４      眼内レンズ
２６      光学部
２８      支持部
３０      溝
３２      芯材
３４      水晶体嚢
３６      前嚢
３８      後嚢
４０      赤道部
４２      チン小帯
４４      前嚢切開窓
４６      補助具
４８      プラスチックシート
【図１】
0004077638.tif 000002
【図２】
0004077638.tif 000003
【図３】
0004077638.tif 000004
【図４】
0004077638.tif 000005
【図５】
0004077638.tif 000006
【図６】
0004077638.tif 000007
【図７】
0004077638.tif 000008
【図８】
0004077638.tif 000009
【図９】
0004077638.tif 000010
【図１０】
0004077638.tif 000011
【図１１】
0004077638.tif 000012
【図１２】
0004077638.tif 000013
【図１３】
0004077638.tif 000014
【図１４】
0004077638.tif 000015
【図１５】
0004077638.tif 000016
【図１６】
0004077638.tif 000017
【図１７】
0004077638.tif 000018
【図１８】
0004077638.tif 000019
【図１９】
0004077638.tif 000020